(57)【要約】【課題】自宅や街中で、職場などと同じ環境で内線電話機を使用することが可能な交換機およびその制御方法を提供することを目的とする。【解決手段】外線と内線との間または内線同士の接続を行って通話路を形成する交換機１において、内線に接続される内線電話機を主内線電話機とし、外線または内線にＩＰ網７を介して接続されるＩＰ電話機４ａを副内線電話機として、主内線電話番号に割り当てられた内線ポート番号と副内線電話機の識別情報とが関連付けられて内線管理情報として格納された記憶部１ｇと、内線管理情報に応じて副内線電話機を内線ポート番号に割り当てた内線電話機として制御する制御部１ｈとを備えた。【選択図】図１
2006033684.tif 000002
【特許請求の範囲】
【請求項１】
外線と内線との間または内線同士の接続を行って通話路を形成する交換機において、
前記内線に接続される内線電話機を主内線電話機とし、前記外線または前記内線にＩＰ網を介して接続されるＩＰ電話機を副内線電話機として、前記主内線電話機の内線番号または前記主内線電話機に接続された内線ポートの番号のどちらか一方または両方に前記副内線電話機の識別情報が関連付けられて内線管理情報として格納された記憶手段と、
前記内線管理情報に応じて前記副内線電話機を前記内線番号または前記内線ポートの番号に割り当てた内線電話機として制御する制御手段とを備えたことを特徴とする交換機。
【請求項２】
前記制御手段は、前記外線または前記内線から前記主内線電話機の内線番号または前記主内線電話機が接続された内線ポートの番号に着呼すると、前記主内線電話機と前記副内線電話機とに着信させることを特徴とする請求項１記載の交換機。
【請求項３】
前記制御手段は、前記主内線電話機または前記副内線電話機のいずれか一方の内線電話機が通話中に、他方の内線電話機がオフフックされると、前記一方の内線電話機の通話呼を前記他方の内線電話機へ切り替えることを特徴とする請求項１または２記載の交換機。
【請求項４】
前記主内線電話機または前記副内線電話機のいずれか一方の内線電話機が通話中に、他方の内線電話機がオフフックされると、前記一方の内線電話機の通話呼を前記他方の内線電話機へ切り替えるか否かを決める通話切替情報が格納された手段を備え、
前記制御手段は、前記通話切替情報に応じて、前記一方の内線電話機が通話中の呼を前記他方の内線電話機へ切り替える制御を行うことを特徴とする請求項１または２記載の交換機。
【請求項５】
前記主内線電話機が接続される内線に関する情報が内線情報として格納された手段を備え、
前記制御手段は、前記副内線電話機と通話する相手側内線電話機、または通話先である通信網へ、前記内線情報を送信することを特徴とする請求項１から４のいずれかの項に記載の交換機。
【請求項６】
外線と内線との間または内線同士の接続を行って通話路を形成する制御手段と、前記内線に接続される内線電話機を主内線電話機とし、前記外線または前記内線にＩＰ網を介して接続されるＩＰ電話機を副内線電話機とし、前記主内線電話機の内線番号または前記主内線電話機に接続された内線ポートの番号のどちらか一方または両方に前記副内線電話機の識別情報が関連付けられて内線管理情報を格納する記憶手段を備えた交換機の制御方法であって、
前記制御手段が、前記記憶手段に格納された前記内線管理情報に応じて、前記副内線電話機を前記内線番号または前記内線ポートの番号に割り当てた内線電話機として制御することを特徴とする交換機の制御方法。
【請求項７】
前記制御手段が、前記外線または前記内線から前記主内線電話機の内線番号または前記主内線電話機が接続された内線ポートの番号に着呼すると、前記主内線電話機と前記副内線電話機とに着信させることを特徴とする請求項６記載の交換機の制御方法。
【請求項８】
前記制御手段が、前記主内線電話機または前記副内線電話機のいずれか一方の内線電話機が通話中に、他方の内線電話機がオフフックされると、前記一方の内線電話機の通話呼を前記他方の内線電話機へ切り替えることを特徴とする請求項６または７記載の交換機の制御方法。
【請求項９】
前記制御手段が、前記主内線電話機または前記副内線電話機のいずれか一方の内線電話機が通話中に、他方の内線電話機がオフフックされると、前記一方の内線電話機の通話呼を前記他方の内線電話機へ切り替えるか否かを決める通話切替情報に応じて、前記一方の内線電話機が通話中の呼を前記他方の内線電話機へ切り替えることを特徴とする請求項６または７記載の交換機の制御方法。
【請求項１０】
前記制御手段が、前記副内線電話機と通話する相手側内線電話機、または通話先である通信網へ、前記主内線電話機が接続される内線に関する情報である内線情報を送信することを特徴とする請求項６から９のいずれかの項に記載の交換機の制御方法。
【発明の詳細な説明】
【技術分野】
【０００１】
本発明は、内線に接続される内線電話機と、外線または内線にＩＰ網を介して接続されるＩＰ電話機とを収容する交換機およびその制御方法に関する。
【背景技術】
【０００２】
従来の交換機として、（特許文献１）に記載されたものがある。この（特許文献１）に記載の交換機は、内線電話機として用いられる無線電話機と有線電話機とを関連づけて登録することで、一方の内線ダイヤル番号を指定すると、どちらの電話機でも動作できるようにしたものである。そうすることで、机上では有線電話機を使用し、離席する場合には無線電話機を使用するといった使い分けが可能となる。
【特許文献１】特開平０８−２６５８１２号公報
【発明の開示】
【発明が解決しようとする課題】
【０００３】
しかし、（特許文献１）に記載の交換機は、交換機に設けられた無線内線インタフェース部がアンテナを介して無線電話機と送受信するものであり、有線電話機と違って行動範囲が広がるものの、微弱な電波を使用しているために、交換機が設置されたフロアだけであるとか、施設の中だけであるとか無線電話機が通話可能な範囲が限られる。
【０００４】
アンテナの設置場所を伸ばすとか、無線中継装置を用いて、無線電話機の通話範囲を広げることも考えられるが、無線電話機の通話範囲を自宅や街中まで広げようとしても、自宅や街中に、アンテナや、無線中継装置を設置する訳にはいかない。
【０００５】
そこで本発明は、自宅や街中で、職場などと同じ環境で内線電話機を使用することが可能な交換機およびその制御方法を提供することを目的とする。
【課題を解決するための手段】
【０００６】
本発明の交換機は、外線と内線との間または内線同士の接続を行って通話路を形成する交換機において、前記内線に接続される内線電話機を主内線電話機とし、前記外線または前記内線にＩＰ網を介して接続されるＩＰ電話機を副内線電話機として、前記主内線電話番号に割り当てられた内線ポート番号と前記副内線電話機の識別情報とが関連付けられて格納された記憶手段と、前記内線管理情報に応じて前記副内線電話機を前記内線ポート番号に割り当てた内線電話機として制御する制御手段とを備えたことを特徴とする。
【発明の効果】
【０００７】
本発明の交換機によれば、職場などに設置される主内線電話機の場所から離れていても、ＩＰ網を介して内線に接続する内線電話機として副内線電話機が使用できるので、自宅や街中で、職場などと同じ環境でＩＰ電話機を内線電話機として使用することができる。
【発明を実施するための最良の形態】
【０００８】
本願の第１の発明は、外線と内線との間または内線同士の接続を行って通話路を形成する交換機において、内線に接続される内線電話機を主内線電話機とし、外線または内線にＩＰ網を介して接続されるＩＰ電話機を副内線電話機として、主内線電話機の内線番号または前記主内線電話機に接続された内線ポートの番号のどちらか一方または両方に副内線電話機の識別情報が関連付けられて格納された記憶手段と、内線管理情報に応じて副内線電話機を前記内線番号または内線ポートの番号に割り当てた内線電話機として制御する制御手段とを備えたことを特徴とする。
【０００９】
制御手段が、ＩＰ網を介して副内線電話機を、主内線電話機に割り当てた内線番号または内線ポートの番号に接続された内線電話機として制御するので、自宅にいても電話回線や専用線を介してＩＰ電話機でＩＰ網に接続したり、街中にいてもＩＰ網接続会社が運営する無線ＬＡＮ（Local Area Network）ホットスポットと呼ばれる無線ＬＡＮエリアにいれば、無線ＬＡＮ電話端末でＩＰ網に接続したりして、交換機と接続することができるとともに、主内線電話機と副内線電話機とを親子電話のように使用することができる。従って、自宅や街中で、職場などと同じ環境でＩＰ電話機を内線電話機として使用することができる。
【００１０】
本願の第２の発明は、制御手段は、外線または内線から主内線電話機の内線番号または前記主内線電話機が接続された内線ポートの番号に着呼すると、主内線電話機と副内線電話機とに着信させることを特徴とする。
【００１１】
制御手段が、外線または内線から主内線電話番号に割り当てられた内線ポート番号に着呼すると、主内線電話機と副内線電話機とに着信させるので、例えば、外出している最中でも交換機が設置されている屋内の内線電話機が鳴動していることが、外出先でのＩＰ電話機からわかり、通話することができる。
【００１２】
本願の第３の発明は、制御手段は、主内線電話機または副内線電話機のいずれか一方の内線電話機が通話中に、他方の内線電話機がオフフックされると、一方の内線電話機の通話呼を他方の内線電話機へ切り替えることを特徴とする。
【００１３】
例えば、着信して鳴動している内線に接続された主内線電話機を誰かがオフフックしたとしても、外出先でのＩＰ電話機である副内線電話機をオフフックすることで、主内線電話機での通話が副内線電話機へ切り替わるので、外出先で通話を開始することができる。
【００１４】
本願の第４の発明は、主内線電話機または副内線電話機のいずれか一方の内線電話機が通話中に、他方の内線電話機がオフフックされると、一方の内線電話機の通話呼を他方の内線電話機へ切り替えるか否かを決める通話切替情報が格納された手段を備え、制御手段は、通話切替情報に応じて、一方の内線電話機が通話中の呼を他方の内線電話機へ切り替える制御を行うことを特徴とする。
【００１５】
主内線電話機または副内線電話機のいずれか一方の内線電話機が通話中に、他方の内線電話機がオフフックされると、一方の内線電話機の通話呼を他方の内線電話機へ切り替えるか否かを決める通話切替情報を設定することで、いずれか一方の内線電話機での通話を他方の内線電話機から横取りされることが防止できる。
【００１６】
本願の第５の発明は、主内線電話機が接続される内線に関する情報が内線情報として格納された手段を備え、制御手段は、副内線電話機と通話する相手側内線電話機、または通話先である通信網へ、内線情報を送信することを特徴とする。
【００１７】
副内線電話機で通話していても、制御手段が主内線電話機が接続される内線に関する内線情報を相手側内線電話機または通話先である通信網へ送信するので、通話相手の内線電話機やＩＰ電話機の表示パネルには、主内線電話機の内線情報が表示される。従って、外出先のＩＰ電話機からの通話であることに気が付かせることなく会話することができる。
【００１８】
本願の第６の発明は、外線と内線との間または内線同士の接続を行って通話路を形成する制御手段と、内線に接続される内線電話機を主内線電話機とし、外線または内線にＩＰ網を介して接続されるＩＰ電話機を副内線電話機とし、主内線電話機の内線番号または主
内線電話機に接続された内線ポートの番号のどちらか一方または両方に副内線電話機の識別情報が関連付けられて内線管理情報を格納する記憶手段を備えた交換機の制御方法であって、制御手段が、記憶手段に格納された内線管理情報に応じて、副内線電話機を内線番号または内線ポートの番号に割り当てた内線電話機として制御することを特徴とする。
【００１９】
制御手段が、ＩＰ網を介して副内線電話機を、主内線電話機に割り当てた内線番号または内線ポートの番号に接続された内線電話機として制御するので、第１の発明と同様に、主内線電話機と副内線電話機とを親子電話のように使用することができる。従って、自宅や街中で、職場などと同じ環境でＩＰ電話機を内線電話機として使用することができる。
【００２０】
本願の第７の発明は、制御手段が、外線または内線から主内線電話機の内線番号または主内線電話機が接続された内線ポートの番号に着呼すると、主内線電話機と副内線電話機とに着信させることを特徴とする。
【００２１】
制御手段が、外線または内線から主内線電話番号に割り当てられた内線番号または内線ポートの番号に着呼すると、主内線電話機と副内線電話機とに着信させるので、例えば、外出している最中でも交換機が設置されている屋内の内線電話機が鳴動していることが、外出先でのＩＰ電話機からわかり、通話することができる。
【００２２】
本願の第８の発明は、制御手段が、主内線電話機または副内線電話機のいずれか一方の内線電話機が通話中に、他方の内線電話機がオフフックされると、一方の内線電話機の通話呼を他方の内線電話機へ切り替えることを特徴とする。
【００２３】
例えば、着信して鳴動している内線に接続された主内線電話機を誰かがオフフックしたとしても、外出先でのＩＰ電話機である副内線電話機をオフフックすることで、主内線電話機での通話が副内線電話機へ切り替わるので、外出先で通話を開始することができる。
【００２４】
本願の第９の発明は、制御手段が、主内線電話機または副内線電話機のいずれか一方の内線電話機が通話中に、他方の内線電話機がオフフックされると、一方の内線電話機の通話呼を前記他方の内線電話機へ切り替えるか否かを決める通話切替情報に応じて、一方の内線電話機が通話中の呼を他方の内線電話機へ切り替えることを特徴とする。
【００２５】
主内線電話機または副内線電話機のいずれか一方の内線電話機が通話中に、他方の内線電話機がオフフックされると、一方の内線電話機の通話呼を他方の内線電話機へ切り替えるか否かを決める通話切替情報を設定することで、いずれか一方の内線電話機での通話を他方の内線電話機から横取りされることが防止できる。
【００２６】
本願の第１０の発明は、制御手段が、副内線電話機と通話する相手側内線電話機、または通話先である通信網へ、主内線電話機が接続される内線に関する情報である内線情報を送信することを特徴とする。
【００２７】
副内線電話機で通話していても、制御手段が主内線電話機が接続される内線に関する内線情報を相手側内線電話機または通話先である通信網へ送信するので、通話相手の内線電話機やＩＰ電話機の表示パネルには、主内線電話機の内線情報が表示される。従って、外出先のＩＰ電話機からの通話であることに気が付かせることなく会話することができる。
【００２８】
（実施の形態）
本発明の実施の形態に係る交換機の構成を図に基づいて説明する。図１は本発明の実施の形態に係る交換機の構成を説明する図である。図１に示すように、交換機１は、企業の施設に設置され、外線と内線、または内線同士の通話を制御している。
【００２９】
交換機１は、回線インタフェース部１ａと、内線インタフェース部１ｂと、ＣＴＩ（Computer Telephone Integration）インタフェース部１ｃと、ＩＰ回線インタフェース部１ｄと、ＩＰ内線インタフェース部１ｅと、時分割スイッチ１ｆと、記憶部１ｇと、制御部１ｈとを備えている。回線インタフェース１ａは、外線である一般公衆網や専用線から着信、もしくは一般公衆網や専用線へ発信した呼に対し、時分割スイッチ１ｆへの接続や切断等を制御するものである。内線インタフェース部１ｂは、内線と時分割スイッチ１ｆとの接続や、切断等の制御を行うものである。内線インタフェース部１ｂは、内線に対して話し中を示すビジー音や、着信中を示すリングバックトーンなどの状態に応じた音（ブログレストーン）を送信する機能を有している。内線インタフェース部１ｂは、内線を介して内線電話機２と接続されている。
【００３０】
ＣＴＩインタフェース部１ｃは、コンピュータシステムを統合した多種多様なＣＴＩシステムを構築するために、外部とのデータ通信を行うためのもので、汎用的なインタフェースが使用される。例えば、パーソナルコンピュータなどに標準で搭載される、ＵＳＢ（Universal Serial Bus）やＥｔｈｅｒｎｅｔ（登録商標）（ＩＥＥＥ８０２．３）や、双方向シリアル通信が可能なＲＳ−２３２Ｃや、双方向パラレルインタフェースなどが使用できる。ＣＴＩインタフェース部１ｃは、このような汎用的なインタフェースを介して電話機機能を有するパーソナルコンピュータ（Personal Computer：以下、ＰＣと称す）であるＰＣ電話機３と接続されている。
【００３１】
ＩＰ回線インタフェース部１ｄは、ＩＰ網７であるインターネットやＬＡＮ通信網から外線として着信、もしくはＩＰ網７へ外線として発信した呼に対し、時分割スイッチ１ｆへの接続や切断等を制御するものである。外線として着信した呼とは、ＩＰ網７を介して着信した呼が、記憶部１ｇに登録されていない内線電話機宛である場合である。また外線として発信した呼とは、ＩＰ網７へ発信された呼が、記憶部１ｇに登録されていない内線電話機宛である場合である。
【００３２】
ＩＰ回線インタフェース部１ｄは、図示しないルータなどのネットワーク中継装置を介して遠隔地にあるＩＰ交換機４や、無線基地局５と接続することができる。その際には、ＩＰ回線インタフェース部１ｄは、国際電気通信連合（International Telecommunication Union：ＩＴＵ）にてＩＴＵ−ＴのＨ．３２３で勧告されたプロトコロを用いて通信を行う。
【００３３】
ＩＰ内線インタフェース部１ｅは、ＩＰ網７であるインターネットやＬＡＮ通信網から内線として着信、もしくはＩＰ網７へ発信した呼に対し、時分割スイッチ１ｆへの接続や切断などを制御するものである。ＩＰ内線インタフェース部１ｅは、上述したＨ．３２３や、ＭＧＣＰ（Media Gateway Control Protocol）や、ＳＩＰ（Session Initiation Protocol）などのプロトコルを用いてＩＰ内線電話機６と接続することができる。内線として着信した呼とは、ＩＰ網７を介して着信した呼が、記憶部１ｇに登録されている内線電話機２宛である場合である。また内線として発信した呼とは、ＩＰ網７へ発信された呼が、記憶部１ｇに登録されている内線電話機２宛である場合である。
【００３４】
ＩＰ交換機４に接続されるＩＰ電話機４ａと、無線基地局５に接続される無線ＬＡＮ電話端末５ａとは、本明細書中では、ＩＰ網７を介して接続される電話機ということで、総称してＩＰ電話機と呼ぶ場合がある。
【００３５】
図１においては、ＩＰ回線インタフェース部１ｄと、ＩＰ内線インタフェース部１ｅとに接続されるＩＰ網７を便宜上、同じネットワークに接続しているように図示しているが、ＩＰ回線インタフェース部１ｄと、ＩＰ内線インタフェース部１ｅとに接続されるＩＰ
網をそれぞれ異なるものとしてもよい。時分割スイッチ１ｆは、制御部１ｈの制御に従って、外線と内線との接続、および内線間の通話路を形成している。記憶部１ｇは、内線に接続される内線電話機を主内線電話機とし、外線または内線にＩＰ網７を介して接続されるＩＰ電話機４ａを副内線電話機として、主内線電話番号に割り当てられた内線ポート番号と副内線電話機の識別情報とが関連付けられた内線管理情報を格納している記憶手段である。
【００３６】
ここで、記憶部１ｇに格納される内線管理情報の内容について、図２から図５に基づいて詳細に説明する。図２は交換機１が内線電話機として収容するＩＰ電話機の識別情報を管理するＩＰ内線電話機管理情報テーブルを説明する図である。図３は内線番号と内線ポート番号の対応を取るための内線電話機管理情報テーブルを説明する図である。図４は主内線電話機と、副内線電話機とを関連付ける主副内線電話機設定情報テーブルを説明する図である。図５は交換機１が収容する内線の状態を示す内線状態管理情報テーブルを説明する図である。
【００３７】
図２に示すように、ＩＰ内線電話機管理情報テーブルは、交換機１が収容する内線番号に、ＩＰ電話機４ａの識別情報であるＩＰアドレスと、ＭＡＣアドレスと、発信者番号などを関連付けている。例えば、インデックス１であるＩＰ電話機４ａは、識別情報がＩＰアドレス「１１１．１２２．１３３．１４４」、ＭＡＣアドレス「００−８０−Ｆ０−３１−００−００」、発信者番号「０１２３４５６」であり、内線番号「１００」が関連付けられている。また、インデックス２である無線ＬＡＮ電話端末５ａは、識別情報がＩＰアドレス「１１１．１２２．１３３．１２３」、ＭＡＣアドレス「００−８０−Ｆ０−３１−１８−００」、発信者番号「０００７７７７」であり、内線番号「１２４」が関連付けられている。図２に示すＩＰ内線電話機管理情報テーブルでは、ＩＰ電話機４ａおよび無線ＬＡＮ電話端末５ａの識別情報としてＩＰアドレス、ＭＡＣアドレス、発信者番号が格納されているが、ＩＰ電話機４ａが識別できれば、このうちの１つの情報だけでもよい。
【００３８】
ＩＰ網７から着信した呼またはＩＰ網７へ発信する呼が外線とした呼とするか、内線とした呼とするかは、その呼が、ＩＰ内線電話機管理情報テーブルに登録されたＩＰ電話機宛であるか否かで決定される。
【００３９】
図３に示すように、内線電話機管理情報テーブルは、内線番号に内線ポート番号を割り当てたテーブルである。例えば、インデックス１である内線電話機２の内線番号「１０２」は。内線ポート番号「１０１０２」が割り当てられている。また、インデックス２であるＰＣ電話機３の内線番号「２００」は、内線ポート番号「１０２００」が割り当てられている。内線ポート番号とは、有線電話機である内線電話機２およびＰＣ電話機３が接続される物理的ポートを意味するだけでなく、この制御部１ｈが管理する論理的なポートの番号である。
【００４０】
図４に示すように、主副内線電話機設定情報テーブルは、主内線電話機と、副内線電話機とを関連付けるテーブルである。また副内線電話機動作設定の設定が、副内線電話機に関連付けられている。ここでは、内線番号「１０２」が割り当てられた内線電話機２を主内線電話機とし、内線番号「１００」がＩＰ割り当てられた電話機４ａを副内線電話機として関連付けられている。
【００４１】
このようにして、主内線電話機である内線電話機に割り当てた内線ポート番号と、副内線電話機であるＩＰ電話機の識別情報とを、図２に示されるＩＰ内線電話機管理情報テーブルと、図３に示される内線電話機管理情報テーブルと、図４に示される主副内線電話機設定情報テーブルとで構成される内線管理情報で関連付けている。また交換機１は、ＩＰ
内線電話機管理情報テーブルと、内線電話機管理情報テーブルに登録された内線番号が割り当てられた電話機（内線電話機２や、ＩＰ電話機４ａなど）を、この交換機１が収容した内線電話機として扱っている。
【００４２】
また、主副内線電話機設定情報テーブルは、それぞれの主内線電話機と副内線電話機との関係を示す副内線電話機動作設定を有している。例えば、主内線電話機が内線番号「１０２」、副内線電話機が内線番号「１００」での組み合わせは、共用モードで動作するように設定されている。共用モードとは、主内線電話機である内線電話機２と、ＩＰ電話機４ａとを同じ操作者が使用することを想定しているモードである。例えば、主内線電話機をオフフックして通話しているときに、副内線電話機をオフフックすれば、通話は副内線電話機であるＩＰ電話機４ａへ切り替わり、その逆となる副内線電話機をオフフックして通話しているときに、主内線電話機をオフフックすれば、通話は主内線電話機である内線電話機２へ切り替わることを可能とするモードである。
【００４３】
また、主内線電話機が内線番号「２００」、副内線電話機が内線番号「１２４」での組み合わせは、上司＆秘書モードで動作するように設定されている。上司＆秘書モードとは、主内線電話機であるＰＣ電話機３と、無線ＬＡＮ電話端末５ａとを、上司と秘書とで使用することを想定したモードである。例えば、主内線電話機をオフフックして通話しているときに、副内線電話機をオフフックしても、通話は副内線電話機である無線ＬＡＮ電話端末５ａへ切り替わりはしないが、その逆となる副内線電話機をオフフックして通話しているときに、主内線電話機をオフフックすれば、通話は主内線電話機であるＰＣ電話機３に切り替わることを可能とするモードである。
【００４４】
図５に示される内線状態管理情報テーブルは、各内線番号の状態を管理しているテーブルである。例えば、インデックス１には内線番号「１００」が割り当てられたＩＰ電話機４ａの状態が格納されており、インデックス２には内線番号「１０２」が割り当てられた内線電話機２の状態が格納されている。図５においては便宜上、内線番号「１００」および内線番号「１０２」以外は図示していないが、交換機１が収容している全ての内線電話機が接続される内線の状態は、この内線状態管理テーブルにより管理されている。また、記憶部１ｇには、内線に関する情報である内線情報が格納されている。内線情報とは、交換機１が収容する内線に関して、その内線を使用する操作者の名前や、内線番号や、コールＩＤなどの情報である。
【００４５】
制御部１ｈは、回線インタフェース部１ａを介して接続される一般公衆網や専用線と、内線インタフェース部１ｂを介して接続される内線電話機２と、ＣＴＩインタフェース部１ｃを介して接続されるＰＣ電話機３と、ＩＰ回線インタフェース部１ｄおよびＩＰ内線インタフェース部１ｅを介して接続されるＩＰ網７とからの着信した呼や、発信する呼の交換動作を行う機能を有している。また、制御部１ｈは、図２から図４に示す内線管理情報であるＩＰ内線電話機管理情報テーブルと、内線電話機管理情報テーブルと、主副内線電話機設定情報テーブルとに応じて副内線電話機を内線ポート番号に割り当てた内線電話機として制御する機能を備えている。
【００４６】
以上のように構成される本発明の実施の形態に係る交換機の動作を図６から図１４に基づいて説明する。図６は交換機が収容する主副内線電話機のオフフックの際のイベント処理を説明するフローチャートである。図７は交換機の内線電話機情報の変換処理を説明するフローチャートである。図８は交換機が収容する主副内線電話機のオンフックの場合のイベント処理を説明するフローチャートである。図９は交換機が収容する内線電話機に呼が着信した際の動作を説明するフローチャートである。図１０は交換機の発呼処理時のシーケンスを説明する図である。図１１は交換機の着信応答処理時のシーケンスを説明する図である。図１２は交換機の通話切り替え時のシーケンスを説明する図である。図１３は
交換機のオフフック無効時のシーケンスを説明する図である。図１４は交換機のオンフック時のシーケンスを説明する図である。
【００４７】
まず、主内線電話機または副内線電話機がオフフックした場合の動作を図６および図７に基づいて説明する。図６に示すように、まず内線電話機２、ＰＣ電話機３、またはＩＰ内線電話機６のオフフックを、内線インタフェース部１ｂ、ＣＴＩインタフェース部１ｃ、ＩＰ内線インタフェース部１ｅが検知する（Ｓ１０）。制御部１ｈは、オフフックした内線電話機の内線番号を内線電話機情報変換処理にて抽出する（Ｓ２０）。この内線電話機情報変換処理を図７に基づいて説明する。
【００４８】
図７に示すように、制御部１ｈはイベントの一つであるオフフックを検知した各インタフェース部が、内線インタフェース部１ｂまたはＣＴＩインタフェース部１ｃか、ＩＰ内線インタフェース部１ｅか、ＩＰ回線インタフェース部１ｄかを判定する（Ｓ２００）。そして、内線インタフェース部１ｂまたはＣＴＩインタフェース部１ｃである場合には、図３に示す内線電話機管理情報テーブルから内線ポート番号を検索する（Ｓ２１０）。ＩＰ内線インタフェース部１ｅまたはＩＰ回線インタフェース部１ｄである場合には、ＩＰ内線電話機管理情報テーブルからＩＰ電話機４ａの識別情報を検索する（Ｓ２２０）。
【００４９】
制御部１ｈは、該当する内線ポート番号またはＩＰ電話機の識別情報が一致した場合Ｓ２４０へ移行し、不一致の場合はＳ２５０へ移行する（Ｓ２３０）。
【００５０】
制御部１ｈは、検索結果が一致した内線ポート番号またはＩＰ電話機の識別情報に関連付けられた内線番号を、オフフックされた電話機の番号であると決定する（Ｓ２４０）。
【００５１】
不一致の場合は、制御部１ｈは、オフフックを検知したインタフェース部は、内線インタフェース部１ｂまたはＣＴＩインタフェース部１ｃ、またはＩＰ内線インタフェース部１ｅか、ＩＰ回線インタフェース部１ｄかを判定する（Ｓ２５０）。
【００５２】
内線インタフェース部１ｂまたはＣＴＩインタフェース部１ｃ、またはＩＰ内線インタフェース部１ｅである場合には、オフフックされた電話機は、内線ポート番号が割り当てられておらず、収容された内線電話機ではないため、制御部１ｈは、このオフフックは無視する（Ｓ２６０）。
【００５３】
Ｓ２５０にてＩＰ回線インタフェース部１ｄと判定された場合には、オフフックされたＩＰ電話機は、ＩＰ内線電話機管理情報テーブルで内線番号が割り当てられておらず、収容された内線電話機ではないため、制御部１ｈはＩＰ回線インタフェース部１ｄに応じた処理に変換する（Ｓ２７０）。
【００５４】
図６に戻って、Ｓ２０にて内線電話機情報変換処理にてオフフックした内線電話機の内線番号を抽出した制御部１ｈは、この抽出した内線番号の状態を通話中へ変更する。これは図５に示す内線状態管理情報テーブルの状態情報を通話中とすることである（Ｓ３０）。
【００５５】
制御部１ｈは、主副内線電話機設定情報テーブル（図４参照）から内線番号に基づいて主内線電話機または副内線電話機を検索する（Ｓ４０）。
【００５６】
Ｓ４０の検索結果、主内線電話機または副内線電話機として登録されているかを判定する。登録されていなければＳ６０へ移行する。また登録されていればＳ７０へ移行する（Ｓ５０）。
【００５７】
Ｓ５０にて主内線電話機または副内線電話機として登録されていなければ、制御部１ｈは、オフフックされた内線電話機の状態に応じて処理を行う。例えば、このオフフックされた内線電話機に着信している呼があれば、着信応答動作を行う。また待機中であればオフフック処理を行う（Ｓ６０）。
【００５８】
Ｓ５０にて主内線電話機または副内線電話機として登録されていれば、制御部１ｈは、内線状態管理情報テーブル（図５参照）から関連付けられた内線電話機の状態をチェックする（Ｓ７０）。
【００５９】
関連付けられた相手側内線電話機の状態が着信中であれば、制御部１ｈは、Ｓ１０で検知したオフフックした内線電話機の着信応答の処理を行う（Ｓ８０）。
【００６０】
また、Ｓ７０にて待機中であれば、制御部１ｈは、これから発信するためにオフフックされたものと判断して発呼のためのオフフック有効処理を行う（Ｓ９０）。
【００６１】
Ｓ７０にて通話中であれば、制御部１ｈは、オフフックされた内線電話機は、主内線電話機か副内線電話機かを判定する（Ｓ１００）。
【００６２】
Ｓ１００にて、オフフックされた内線電話機が主内線電話機である場合には、制御部１ｈは、通話中である副内線電話機の通話を主内線電話機の通話とするように、時分割スイッチ１ｆを制御して通話切り替えを行う。この切り替えは、主副内線電話機設定情報テーブル（図４参照）の副内線電話機動作設定のモードに関わらず、副内線電話機の通話を主内線電話機をオフフックすることで行われることを示している（Ｓ１１０）。
【００６３】
Ｓ１００にて、副内線電話機である場合には、制御部１ｈは、主副内線電話機設定情報テーブル（図４参照）の副内線電話機動作設定からモードをチェックする（Ｓ１２０）。
【００６４】
Ｓ１２０にて、共用モードである場合には、制御部１ｈは、通話中である主内線電話機の通話を副内線電話機の通話とするように、時分割スイッチ１ｆを制御して通話切り替えを行う（Ｓ１１０）。
【００６５】
Ｓ１２０にて、上司＆秘書モードである場合には、制御部１ｈは、通話中である主内線電話機の通話を、副内線電話機の通話として切り替えを行わない（Ｓ１３０）。
【００６６】
このようにして、主内線電話機がオフフックすることで、その主内線電話機に割り当てられた内線ポート番号から関連付けられた副内線電話機を検索して、主内線電話機と副内線電話機とを親子電話のように、着信や発信や、通話の切り替えが行われる。
【００６７】
次に、主内線電話機または副内線電話機がオンフックした場合の動作を図７および図８に基づいて説明する。図８に示すように、まず内線電話機２、ＰＣ電話機３、またはＩＰ内線電話機６のオンフックを、内線インタフェース部１ｂ、ＣＴＩインタフェース部１ｃ、ＩＰ内線インタフェース部１ｅが検知する（Ｓ３００）。制御部１ｈは、イベントをオンフックとして内線電話機の内線番号を図７に示す内線電話機変換処理フローに従って抽出する（Ｓ３１０）。
【００６８】
制御部１ｈは、抽出した内線番号から、内線状態管理情報の状態情報を更新する。この場合、オンフックであるので待機中とする（Ｓ３２０）。そして、制御部１ｈは、オンフック処理を行う（Ｓ３３０）。
【００６９】
次に、本発明の実施の形態に係る交換機が収容する内線電話機に呼が着信した際の動作
を図９に基づいて説明する。図９に示すように、回線インタフェース部１ａ、内線インタフェース部１ｂ、ＣＴＩインタフェース部１ｃ、ＩＰ回線インタフェース部１ｄ、またはＩＰ内線インタフェース部１ｅが着信を検出すると（Ｓ４００）、制御部１ｈは外線であれば予め記憶部１ｇに設定された着信先内線番号、内線であれば発呼元がダイヤルした内線番号に基づいて主副内線電話機設定情報テーブルを検索する（Ｓ４１０）。
【００７０】
検索した結果、着信先の内線番号が主副内線電話機設定情報テーブルに主内線電話機または副内線電話機として登録されているか否かを判定する。登録なければＳ４３０へ移行し、登録されていればＳ４５０へ移行する（Ｓ４２０）。
【００７１】
着信先の内線番号が主副内線電話機設定情報テーブルに主内線電話機または副内線電話機として登録されていなければ、制御部１ｈは、着信先の内線電話機の内線状態である内線状態管理情報テーブル（図５参照）の状態情報を着信中とする（Ｓ４３０）。そして内線番号に応じたインタフェース部を介して着信先の内線電話機に着信する。例えば、内線電話機２が着信先の内線電話機である場合には、内線インタフェース部１ｂを介して着信する（Ｓ４４０）。
【００７２】
Ｓ４２０にて、着信先の内線番号が主副内線電話機設定情報テーブルに主内線電話機または副内線電話機として登録されていれば、制御部１ｈは、主副内線電話機設定情報テーブルにて関連付けられた相手内線の状態を、内線状態管理情報テーブルからチェックする（Ｓ４５０）。
【００７３】
Ｓ４５０にて、関連付けられた相手内線の状態が、待機中以外であると判定された場合には、オフフック状態での通話中か、またはオンフック状態ではあるが着信中なので、着信先が話し中であることを意味している。つまり、着信先の内線電話機が主内線電話機である場合には副内線電話機が、着信先の内線電話機が副内線電話機である場合には主内線電話機が、通話中または着信中ということなので、制御部１ｈは、発信元へ話し中であるビジー音を送出する着信先話中処理を行う（Ｓ４６０）。
【００７４】
Ｓ４５０にて、関連付けられた相手内線の状態が、待機中であると判定された場合には、着信先の内線電話機の状態と、その相手となる内線電話機の状態を更新する。例えば、着信先の内線電話機が、主内線電話機となる内線電話機が内線電話機２であり、その相手である副内線電話機となる内線電話機がＩＰ電話機４ａである場合には、この内線電話機２の内線番号と、ＩＰ電話機４ａの内線番号に対応する内線状態管理情報テーブルの状態情報を着信中とする（Ｓ４７０）。
【００７５】
そして、主内線電話機となる内線電話機２と、副内線電話機となるＩＰ電話機４ａの両方に着信させるため、交換機１に着信した呼を内線電話機２が接続される内線インタフェース部１ｂと、ＩＰ電話機４ａが接続されるＩＰ内線インタフェース部１ｅへ着信させる（Ｓ４８０）。
【００７６】
次に、図６から図９に示されるフローチャートに基づいて動作する本発明の実施の形態に係る交換機の各種のシーケンス動作について図１０から図１４に基づいて説明する。まず、発呼処理時のシーケンスについて図１０に基づいて説明する。図１０において、操作端末とは操作者が通話する内線電話機のことであり、主内線電話機または副内線電話機のどちらか一方である。関連付け端末とは操作端末が主内線電話機である場合には副内線電話機であり、操作端末が副内線電話機である場合には主内線電話機である。また、操作端末を副内線電話機であるＩＰ電話機４ａとし、関連付け端末を主内線電話機である内線電話機２として説明する。
【００７７】
図１０に示すように、操作端末がオフフックする際の関連付け端末の状態は、オンフック状態であり着信していない状態である待機中とする。つまり記憶部１ｇの内線状態管理情報テーブルの状態情報としては待機中として管理されている（Ｓ５００）。
【００７８】
操作端末である副内線電話機がオフフックされると、オフフック通知と、この内線電話機の情報、例えばＩＰ電話機４ａであればＩＰやＭＡＣアドレスなどが交換機１へ通知される（Ｓ５１０）。そこで、交換機１は、図７に示す内線電話機情報変換処理に従って内線番号を抽出する。具体的には、例えば、副内線電話機としたＩＰ電話機４ａがオフフックすると、オフフック通知をＩＰ内線インタフェース部１ｅが受信する。オフフック通知と内線電話機の情報とを受信したＩＰ内線インタフェース部１ｅは、そのＩＰアドレスやＭＡＣアドレスを制御部１ｈへ通知する。制御部１ｈは、ＩＰアドレスまたはＭＡＣアドレスに基づいて、ＩＰ内線電話機管理情報テーブルから内線番号を検索することで、内線番号「１００」を抽出する（Ｓ５２０）。
【００７９】
抽出された内線番号から関連付けられた相手内線電話機の内線番号を検索する。これは制御部１ｈが図４に示される主副内線電話機設定情報テーブルに基づいて検索する。図４では内線番号「１０２」が相手内線電話機となる主内線電話機の内線番号である（Ｓ５３０）。
【００８０】
そして検索した結果、オフフックした内線電話機と関連付けられた相手内線電話機となる主内線電話機（内線番号「１０２」の内線電話機２）の状態を、内線状態管理情報テーブルでチェックする。この状態が、例えば着信中でなく通話中でない待機中である場合には、操作端末である副内線電話機（ＩＰ電話機４ａ）へ、発呼可能であることを示す音声（例えば、ダイヤルトーン）を送信する（Ｓ５４０）。
【００８１】
操作端末である副内線電話機から発呼先情報が送信されると（Ｓ５５０）、発呼先情報に基づいて交換機１は発信を行う。その際に、主内線電話機が接続される内線に関する情報である内線情報を送信する。例えば、内線番号や主内線電話機の操作者の名前や、コールＩＤなどを発呼先となる通話相手へ送信する（Ｓ５６０）。
【００８２】
この発呼先が外線となる場合には、一般公衆網や専用線へは回線インタフェース部１ａを経由して、またはＩＰ網７へはＩＰ回線インタフェース部１ｄを経由して送信される。また、内線となる場合には、内線インタフェース部１ｂを経由して、またはＩＰ網７へはＩＰ内線インタフェース部１ｅを経由して相手側内線電話機へ送信される。
【００８３】
このように、副内線電話機で発信しても、主内線電話機が接続される内線の情報が相手先に通知されるので、通話相手の内線電話機やＩＰ電話機の表示パネルには、主内線電話機の内線情報が表示されることとなる。従って、外出先のＩＰ電話機４ａからの通話であることに気が付かせることなく会話することができる。
【００８４】
以上、操作端末を副内線電話機とし、関連付け端末を主内線電話機として説明したが、操作端末を主内線電話機とし、関連付け端末を副内線電話機としても同様である。次に、着信応答処理時のシーケンスについて図１１に基づいて説明する。図１１においては、主内線電話機を内線電話機２とし、副内線電話機をＩＰ電話機４ａとして説明する。図１１に示すように、関連付け端末へ着信があると（Ｓ６００）、この着信のあった内線電話機の内線状態を着信中とする（Ｓ６１０）。例えば、関連付け端末を主内線電話機として内線電話機２とすると、内線電話機２の内線番号「１０２」に着信があると、内線状態管理情報テーブルの内線番号「１０２」に対応する内線状態を着信中とする。
【００８５】
そこで、操作端末である副内線電話機としたＩＰ電話機４ａがオフフックされると（Ｓ
６２０）、交換機１は図１０に示すＳ５２０と同様に内線番号（「１００」）を抽出する（Ｓ６３０）。抽出された内線番号「１００」から関連付けられた相手内線電話機の内線番号を検索する。これは制御部１ｈが図４に示される主副内線電話機設定情報テーブルに基づいて検索する。図４では内線番号「１０２」が相手内線電話機となる主内線電話機の内線番号である（Ｓ６４０）。
【００８６】
そして検索した結果、オフフックしたＩＰ電話機４ａと関連付けられた相手内線電話機となる主内線電話機（内線番号「１０２」の内線電話機２）の状態を、内線状態管理情報テーブルでチェックする。この場合、Ｓ６１０にて着信中としたので（Ｓ６５０）、この着信を操作端末（副内線電話機）であるＩＰ電話機４ａへ着信させるとともに、着信相手へ主内線電話機が接続される内線に関する情報である内線情報を送信する（Ｓ６６０）。そして、関連付け端末（主内線電話機）であるＩＰ電話機２の着信を停止する（Ｓ６７０）。
【００８７】
このように、施設内に設置された内線電話機２へ着信していても、遠隔地で使用しているＩＰ電話機４ａにて着信応答することができるので、主内線電話機と副内線電話機とを親子電話のように使用することができる。また、副内線電話機であるＩＰ電話機４ａで着信応答しても、主内線電話機が接続される内線の情報が相手先に通知されるので、通話相手の内線電話機やＩＰ電話機の表示パネルには、主内線電話機の内線情報が表示されることとなる。従って、外出先のＩＰ電話機４ａからの通話であることに気が付かせることなく会話することができる。
【００８８】
次に、通話切り替え時のシーケンスを図１２に基づいて説明する。図１２においては、主内線電話機を内線電話機２とし、副内線電話機をＩＰ電話機４ａとして説明する。図１２に示すように、通話相手と副内線電話機とが通話中である（Ｓ７００）。つまり、副内線電話機としたＩＰ電話機４ａで通話相手と通話中なので、内線状態管理情報テーブルの内線状態は通話中である（Ｓ７１０）。
【００８９】
その状態のときに、主内線電話機である内線電話機２がオフフックされると（Ｓ７２０）、交換機１はオフフックされた内線電話機２の内線番号「１０２」を抽出する（Ｓ７３０）。
【００９０】
抽出された内線番号「１０２」から関連付けられた相手内線電話機の内線番号を検索する。これは制御部１ｈが図４に示される主副内線電話機設定情報テーブルに基づいて検索する。図４では内線番号「１００」が相手内線電話機となる副内線電話機の内線番号である（Ｓ７４０）。
【００９１】
この副内線電話機であるＩＰ電話機４ａの内線番号「１００」に基づいて内線状態管理情報テーブルから内線状態をチェックする（Ｓ７５０）。
【００９２】
副内線電話機であるＩＰ電話機４ａは通話中であり、主副内線電話機設定情報テーブルでは内線電話機２（内線番号「１０２」）とＩＰ電話機４ａ（内線番号「１００」）とは、副内線電話機動作設定では共用モードとなっているため、通話の切り替えを行う（Ｓ７５０）。
【００９３】
この通話の切り替えは、ＩＰ電話機４ａの通話を切断するとともに（Ｓ７６０）、ＩＰ電話機４ａの通話をオフフックされた内線電話機２の通話とすることである（Ｓ７７０）。
【００９４】
通話の切り替えが行われたことにより、通話相手と、内線電話機２との通話を行うこと
ができる（Ｓ７８０）。
【００９５】
次に、オフフック無効時のシーケンスを図１３に基づいて説明する。図１３においては、主内線電話機をＰＣ電話機３とし、副内線電話機を無線ＬＡＮ電話端末５ａとして説明する。図１３に示すように、通話相手と主内線電話機とが通話中である（Ｓ８００）。つまり、主内線電話機としたＰＣ電話機３で通話相手と通話中なので、内線状態管理情報テーブルの内線状態は通話中である（Ｓ８１０）。
【００９６】
その状態のときに、副内線電話機である無線ＬＡＮ電話端末５ａがオフフックされると（Ｓ８２０）、交換機１はオフフックされた無線ＬＡＮ電話端末５ａの内線番号「１２４」を抽出する（Ｓ８３０）。
【００９７】
抽出された内線番号「１２４」から関連付けられた相手内線電話機の内線番号を検索する。これは制御部１ｈが図４に示される主副内線電話機設定情報テーブルに基づいて検索する。図４では内線番号「２００」が相手内線電話機となる主内線電話機の内線番号である（Ｓ８４０）。
【００９８】
この主内線電話機であるＰＣ電話機３の内線番号「２００」に基づいて内線状態管理情報テーブルから内線状態をチェックする（Ｓ８５０）。
【００９９】
主内線電話機であるＰＣ電話機３は通話中であり、主副内線電話機設定情報テーブルではＰＣ電話機３（内線番号「２００」）と無線ＬＡＮ電話端末５ａ（内線番号「１２４」）とは、副内線電話機動作設定では上司＆秘書モードとなっている。この上司＆秘書モードは、主内線電話機をオフフックして通話中に副内線電話機をオフフックしても、通話は副内線電話機である無線ＬＡＮ電話端末５ａへ切り替わりはしないが、その逆である副内線電話機をオフフックして通話中に主内線電話機をオフフックすれば、通話は主内線電話機であるＰＣ電話機３に切り替わることを可能としたモードである。従って、主内線電話機であるＰＣ電話機３での通話は、副内線電話機である無線ＬＡＮ電話端末５ａをオフフックしても切り替わらないので、オフフック無効通知を無線ＬＡＮ電話端末５ａへ送信する（Ｓ８６０）。
【０１００】
次に、オンフック時のシーケンスについて図１４に基づいて説明する。図１４においては、図１０と同様に、操作端末は、主内線電話機または副内線電話機のどちらか一方である。関連付け端末とは操作端末が主内線電話機である場合には副内線電話機であり、操作端末が副内線電話機である場合には主内線電話機である。また、操作端末を副内線電話機であるＩＰ電話機４ａとし、関連付け端末を主内線電話機である内線電話機２として説明する。
【０１０１】
図１４に示すように、通話相手と操作端末である副内線電話機（ＩＰ電話機４ａ）とが通話中である（Ｓ９００）。副内線電話機であるＩＰ電話機４ａが通話が終了したのでオンフックする（Ｓ９１０）。そうすると、交換機１はオフフックされたＩＰ電話機４ａの内線番号「１００」を抽出する（Ｓ９２０）。
【０１０２】
抽出された内線番号「１００」から関連付けられた相手内線電話機の内線番号を検索する。これは制御部１ｈが図４に示される主副内線電話機設定情報テーブルに基づいて検索する。図４では内線番号「１０２」が相手内線電話機となる主内線電話機の内線番号である（Ｓ９３０）。
【０１０３】
交換機１は、通話相手へ主内線電話機が接続される内線に関する情報である内線情報を送信する（Ｓ９４０）。
【０１０４】
このように、通話を切断する際にも、主内線電話機で通話していても、副内線電話機で通話していても、通話相手へ主内線電話機が接続される内線に関する情報である内線情報を送信するので、通話相手の電話機が収容される交換機の通話記録などへも、主内線電話機で通話していたことを通知することができる。
【産業上の利用可能性】
【０１０５】
本発明は、自宅や街中で、職場などと同じ環境でＩＰ電話機を内線電話機として使用することができるので、内線に接続される内線電話機と、外線または内線にＩＰ網を介して接続されるＩＰ電話機とを収容する交換機に好適である。
【図面の簡単な説明】
【０１０６】
【図１】本発明の実施の形態に係る交換機の構成を説明する図
【図２】交換機が内線電話機として収容するＩＰ電話機の識別情報を管理するＩＰ内線電話機管理情報テーブルを説明する図
【図３】内線番号と内線ポート番号の対応を取るための内線電話機管理情報テーブルを説明する図
【図４】主内線電話機と、副内線電話機とを関連付ける主副内線電話機設定情報テーブルを説明する図
【図５】交換機が収容する内線の状態を示す内線状態管理情報テーブルを説明する図
【図６】交換機が収容する主副内線電話機のオフフックの際のイベント処理を説明するフローチャート
【図７】交換機の内線電話機情報の変換処理を説明するフローチャート
【図８】交換機が収容する主副内線電話機のオンフックの場合のイベント処理を説明するフローチャート
【図９】交換機が収容する内線電話機に呼が着信した際の動作を説明するフローチャート
【図１０】交換機の発呼処理時のシーケンスを説明する図
【図１１】交換機の着信応答処理時のシーケンスを説明する図
【図１２】交換機の通話切り替え時のシーケンスを説明する図
【図１３】交換機のオフフック無効時のシーケンスを説明する図
【図１４】交換機のオンフック時のシーケンスを説明する図
【符号の説明】
【０１０７】
１    交換機
１ａ    回線インタフェース部（回線Ｉ／Ｆ）
１ｂ    内線インタフェース部（内線Ｉ／Ｆ）
１ｃ    ＣＴＩインタフェース部（ＣＴＩＩ／Ｆ）
１ｄ    ＩＰ回線インタフェース部（ＩＰ回線Ｉ／Ｆ）
１ｅ    ＩＰ内線インタフェース部（ＩＰ内線Ｉ／Ｆ）
１ｆ    時分割スイッチ部
１ｇ    記憶部
１ｈ    制御部
２    内線電話機
３    ＰＣ電話機
４    ＩＰ交換機
４ａ    ＩＰ電話機
５    無線基地局
５ａ    無線ＬＡＮ電話端末
６    ＩＰ内線電話機
７    ＩＰ網
【図１】
2006033684.tif 000003
【図２】
2006033684.tif 000004
【図３】
2006033684.tif 000005
【図４】
2006033684.tif 000006
【図５】
2006033684.tif 000007
【図６】
2006033684.tif 000008
【図７】
2006033684.tif 000009
【図８】
2006033684.tif 000010
【図９】
2006033684.tif 000011
【図１０】
2006033684.tif 000012
【図１１】
2006033684.tif 000013
【図１２】
2006033684.tif 000014
【図１３】
2006033684.tif 000015
【図１４】
2006033684.tif 000016